(57)【要約】      （修正有）【課題】両面に凸面点字記述されている点字文書や点字文献の文面から、点字部を点字マス画像に認識し、入力点字データに変換する点字マス画像読取り変換装置を提供する。【解決手段】点字文面全域を読取り全行の行頭、行末、および行中の文末を認識する１回目の読取りと、認識している凸面行の文頭から凸面点字の点字マス画像を認識し、読取入力マス画像と認識する２回目の読取りとからなる光学的２回読み取りを行う。そして、点字マス画像データベース内の標準点字マス画像パターンと点字データを照合特定し、入力マス画像、および入力点字データに変換する。【選択図】図１
2014139711.tif 000002
【特許請求の範囲】
【請求項１】
縦３点、横２点を１マスの点字で書かれた点字文面を透明原稿台に伏せて、下から光を当てその反射光を変換してマス画像を読取る手段と、読取りマス画像データをマス画像データベースで探索して、デジタルデータに変換する手段と、デジタルデータを外部伝送する手段とを備えたことを特徴とする点字マス画像読取り変換伝送装置。
【請求項２】
前記読取る手段のその１は、点字で書かれている点字文面の読取り面左上端部を透明原稿台の位置合わせ印に合わせ伏せる。下から光を当てその反射光を変換してマス画像に読取る。読取った文面の行頭、行末を識別して、行頭から順次１マスの凸面部６点の有無によって表される点字のマス画像をノイズ除去、特徴抽出の画像処理技術で認識した読取入力マス画像が、マス画像データベースのマス画像データ内に登録している標準マス画像パターンと照合特定して入力マス画像と認識することを特徴とする請求項１記載の点字マス画像読取り変換伝送装置。
【請求項３】
前記読取る手段のその２は、点字で書かれている点字文面の読取り面端部を透明原稿台の位置合わせ印に合わせ伏せる。下から光を当てその反射光を変換してマス画像に読取る。1回目は点字文面全域を読取り全行の行頭、行末、および行中の文末を認識する。次の２回目の読取りで、各凸面行の行頭から１マスの凸面部６点の有無によって表される点字のマス画像をノイズ除去、特徴抽出の画像処理技術で画像補正した読取入力マス画像が、マス画像データ、点字データ、墨点字データ、及び墨字データを論理構造で構成したマス画像データベースのマス画像データ内に登録している標準マス画像パターンと照合特定して入力マス画像と認識することを特徴とする請求項１記載の点字マス画像読取り変換伝送装置。
【請求項４】
変換する手段、外部伝送する手段は、認識した入力マス画像をマス画像データベース内のマス画像データと論理構成している点字データ、墨点字データ、および墨字データを照合特定してそれぞれのデジタルデータに変換する。２マス点字、３マス点字類を表示する前置点マス画像を認識した時は数マス画像を読取り濁音、拗音、数字、句読点、およびアルファベットなどの墨字データに変換形成する。さらにそれぞれの論理回路で外部インターフェース信号に変換した点字データ、墨点字データ、及び墨字データを外部伝送することを特徴とする請求項１記載の点字マス画像読取り変換伝送装置。
【請求項５】
前記マス画像データベースは、マス画像データ、点字データ、墨点字データ、および墨字データを論理構成したデータベースである。海外諸言語の点字文書、点字文献のデータ変換処理は、各言語のマス画像データベースに組替えることで変換処理可能とすることを特徴とする請求項１記載の点字マス画像読取り変換伝送装置。
【請求項６】
前記請求項１記載の点字マス画像読取り変換伝送装置において点字文面以外の一般原稿面、又は一般画像面に対応できる読取り、変換、および伝送が可能とする切替機能を装備することを特徴とする点字マス画像読取り変換伝送装置。
【発明の詳細な説明】
【技術分野】
【０００１】
本発明は、点字文書、点字文献を読取り、点字、墨点字、墨字のデジタルデータに変換する点字マス画像読取り変換伝送装置に関するものである。
【背景技術】
【０００２】
点字文書、点字文献の紙面は、両面に凸面点字記述している文面で凸面行と凹面行が交互送りしているため、斜光照射による濃淡画像、陰影読取で凸面を認識する方法（特許文献１、特許文献２）では、凸・凹記述文面から凸面点字を検出する信頼性に課題が残されている。
【先行技術文献】
【特許文献】
【０００３】
【特許文献１】特許第３２８１７８６号公報
【特許文献２】特開平８−２２７４５５号公報
【発明の概要】
【発明が解決しようとする課題】
【０００４】
従来技術では、凸・凹記述文面から凸面点字を検出する信頼性に問題点があり、斜光照射の濃淡認識、陰影読取という点が技術的課題であったが、本発明の構成によるマス画像の探索から点字情報を認識する効果が得られた。
【０００５】
全国の視聴覚障害者情報提供施設に現存する点字文書、貴重な点字文献を幅広く提供、共有するデジタルアーカイブを構築することを目的として、書誌学的価値を損なわずに点字文面の点字情報を正確に読取る手段、読取った点字情報を変換する手段、および変換した点字データ、墨点字データ、および墨字データを外部伝送する手段で構成した点字マス画像読取り変換伝送装置を提供することである。
【課題を解決するための手段】
【０００６】
本発明は、点字文書、点字文献の両面、または片面に縦３点、横２点を１マスとする凸面点の点字で書かれている点字文面を透明原稿台に伏せて、下から光を当てその反射光を変換してマス画像に読取る手段と、読取りマス画像データをマス画像データベースで探索して、デジタルデータに変換する手段と、および外部伝送する手段とで構成する点字マス画像読取り変換伝送装置である。
【０００７】
前記読取る手段のその１は、点字で書かれている点字文面の読取り面左上端部を透明原稿台の位置合わせ印に合わせ伏せる。下から光を当てその反射光を変換してマス画像に読取る。読取った文面の行頭、行末を識別して、行頭から順次１マスの凸面部６点の有無によって表される点字のマス画像をノイズ除去、特徴抽出の画像処理技術で認識した読取入力マス画像がマス画像データベースのマス画像データ内に登録している標準マス画像パターンと照合特定して入力マス画像と認識する。
【０００８】
前記読取る手段のその２は、点字で書かれている点字文面の読取り面端部を透明原稿台の位置合わせ印に合わせ伏せる。下から光を当てその反射光を変換してマス画像に読取る。1回目は点字文面全域を読取り全行の行頭、行末、および行中の文末を認識する。次の２回目の読取りで、各凸面行の行始めから１マスの凸面部６点の有無によって表される点字のマス画像をノイズ除去、特徴抽出の画像処理技術で画像補正した読取入力マス画像が、マス画像データ、点字データ、墨点字データ、及び墨字データを論理構造で構成したマス画像データベースのマス画像データ内に登録している標準マス画像パターンと照合特定して入力マス画像と認識する。
【０００９】
前記変換する手段、外部伝送する手段は、認識した入力マス画像とマス画像データベース内のマス画像データと論理構成している点字データ、墨点字データ、及び墨字データを照合特定して、それぞれのデジタルデータに変換する。２マス点字、３マス点字類を表示する前置点マス画像を認識した時は数マス画像を読取り濁音、拗音、数字、句読点、およびアルファベットなどの墨字データに変換形成する。さらにそれぞれの論理回路で外部インターフェース信号に変換した点字データ、墨点字データ、及び墨字データを外部伝送する。
【００１０】
前記読取る手段、変換する手段の重要なファクターであるマス画像データベースは、マス画像データ、点字データ、墨点字データ、および墨字データを論理構成したデータベースである。海外諸言語の点字文書、点字文献のデータ変換処理は、各言語のマス画像データベースに組替えることで変換処理可能とする。
【００１１】
前記点字マス画像読取り変換伝送装置において点字文面以外の一般原稿面、又は一般画像面に対応できる読取り、変換、および伝送が可能とする切替機能を装備する。
【発明の効果】
【００１２】
本発明により、全国の視聴覚障害者情報提供施設が保有している点字文書、貴重な点字文献をいつでも即座に閲覧できるデジタルアーカイブを構築する情報機器にデジタルデータを伝送することができる。
【図面の簡単な説明】
【００１３】
【図１】本発明の点字マス画像読取り変換伝送装置の点字情報関連図１である。
【図２】本発明の点字マス画像読取り変換伝送装置の点字情報関連図２である。
【発明を実施するための形態】
【００１４】
以下、本発明における点字マス画像読取り変換伝送装置の実施形態を図１、図２に基づいて説明する。
【００１５】
図１において、読取る手段の機能は点字文面の読取り面左上端部を点字マス画像読取り変換伝送装置の透明原稿台の位置合わせ印に合わせ伏せて、下から光を当てその反射光を変換してマス画像に読取る。読取った点字文面の行頭、行末を識別して、行頭から順次１マスの凸面部６点の有無によって表される点字のマス画像をノイズ除去、特徴抽出の画像処理技術で画像補正した読取入力マス画像が、マス画像データベースのマス画像データ内に登録している標準マス画像パターンと照合特定して入力マス画像と認識する。
【００１６】
マス画像認識の重要なファクターであるマス画像データベースは、マス画像データ、点字データ、墨点字データ、および墨字データを論理構成したデータベースとする。
【００１７】
図２において、読取る手段の機能は、点字文面の読取り面端部を点字マス画像読取り変換伝送装置の透明原稿台の位置合わせ印に合わせ伏せて、下から光を当てその反射光を変換してマス画像に読取る、全行の行頭、行末を認識した後、次に２回目の変換読取りで行頭を認識して、点字マスの凸面の摩耗、紙面の汚れ、折れ、落書きのノイズ除去処理、特徴抽出の画像処理技術で画像補正した１マスの凸面部６点の有無によって表される点字のマス画像を読取入力マス画像と認識する。認識した読取入力マス画像がマス画像データベース内で論理構成したマス画像データ、点字データ、墨点字データ、及び墨字データの一つであるマス画像データ内に登録している標準マス画像パターンと照合特定して入力マス画像と認識する。
【００１８】
図１，図２において、変換する手段は、認識した入力マス画像をマス画像データベース内でマス画像データと論理構成している点字データ、墨点字データ、および墨字データを照合特定してそれぞれのデジタルデータに変換する。２マス点字、３マス点字を表示する前置点マス画像を認識した時は数マス画像を読取り濁音、拗音、数字、句読点、およびアルファベットなどの墨字データに変換形成する。さらにそれぞれの論理回路で外部インターフェース信号に変換処理する。
【００１９】
外部伝送する手段は、外部インターフェース信号に変換した点字コード、墨点字コード、墨字コードを外部情報機器に伝送処理する。
【図１】
2014139711.tif 000003
【図２】
2014139711.tif 000004
【手続補正書】
【提出日】平成25年4月22日(2013.4.22)
【手続補正１】
【補正対象書類名】明細書
【補正対象項目名】全文
【補正方法】変更
【補正の内容】
【発明の詳細な説明】
【技術分野】
【０００１】
本発明は、点字文書、点字文献を読取り、点字マス画像を入力点字データに変換する
点字マス画像読取り変換装置に関するものである。
【背景技術】
【０００２】
点字文書、点字文献の紙面は、両面に凸面点字記述している文面で凸面行と凹面行が
交互送りしているため、斜光照射による濃淡画像、陰影読取で凸面を認識する方法（特許文献１、特許文献２）では、凸・凹記述文面から凸面点字を検出する信頼性に課題が残されている。
【先行技術文献】
【特許文献】
【０００３】
【特許文献１】特許第３２８１７８６号公報
【特許文献２】特開平８−２２７４５５号公報
【発明の概要】
【発明が解決しようとする課題】
【０００４】
従来技術では、凸・凹記述文面から凸面点字を検出する信頼性に問題点があり、斜光
照射の濃淡認識、陰影読取という点が技術的課題であったが、本発明の構成によるマス
画像の探索から点字情報を認識する効果が得られた。
【０００５】
全国の視聴覚障害者情報提供者施設に現存する点字文書、貴重な点字文献を幅広く提供することを目的として、書誌学的価値を損なわずに点字文面の点字情報を点字マス画像として正確に読取り、読取った点字マス画像を入力点字データに変換する機能を備えた点字マス画像読取り変換装置を提供することである。
【課題を解決するための手段】
【０００６】
本発明は、点字文書、点字文献の両面、または片面に縦３点、横２点を１マスの点字マス画像で表示した点字文面を読取り部の端部に合わして、１回目の光照射・反射光変換読取りで、点字文面の置き方を認識および点字文書の文頭の点字マス画像を認識する。２回目の光照射・反射光変換読取りで、認識している点字文章の文頭から凸面部６点の有無で構成している点字マス画像を認識して、画像処理技術で画像補正した読取りマス画像を点字マス画像データベース内の標準点字マス画像パターンおよび点字データと照合特定し入力点字データに変換して、点字文書、点字文献の様式に合わすことを特徴とする点字マス画像読取り変換装置ある。
【発明の効果】
【０００７】
本発明により、全国の視聴覚障害者情報提供施設が保有している点字文書、貴重な点字文献の書誌学的価値を損なわずにいつでも点字文書を提供することができる。
【図面の簡単な説明】
【０００８】
【図１】本発明の点字マス画像読取り変換装置の点字情報関連図である。
【発明を実施するための形態】
【０００９】
以下、本発明における点字マス画像読取り変換装置の実施形態を図１に基づいて説明する。
【００１０】
図１において、点字マス画像で表示された点字文面端部を点字マス画像読取り変換装置の読取り部の端部に合わせて、１回目の光照射・反射光変換読取りで、点字文面の置き方を認識および点字文章の文頭点字マス画像を認識した後、２回目の光照射・反射光変換読取りで、認識している点字文章の文頭から凸面部６点の有無で構成している点字マス画像を認識して、画像処理技術で画像補正した読取りマス画像を点字マス画像データベース内の標準点字マス画像パターンおよび点字データと照合特定し入力点字データに変換して、点字文書、点字文献の様式に合わすことである。

【手続補正２】
【補正対象書類名】特許請求の範囲
【補正対象項目名】全文
【補正方法】変更
【補正の内容】
【特許請求の範囲】
【請求項１】
縦３点、横２点の１マス点字の点字マス画像で表示された点字文面端部を読取り部の端部に合わせて、１回目の光照射・反射光変換読取りで、点字文面の置き方を認識および点字文章の文頭点字マス画像を認識する。２回目の光照射・反射光変換読取りで。認識している点字文章の文頭から凸面部６点の有無で構成している点字マス画像を認識して、画像処理技術で画像補正した読取りマス画像を点字マス画像データベース内の標準点字マス画像パターンおよび点字データと照合特定し点字文書、点字文献の様式に合わせて入力点字データに変換して、点字文書、点字文献の様式に合わすことを特徴とする点字マス画像読取り変換装置。
【手続補正４】
【補正対象書類名】図面
【補正対象項目名】図１
【補正方法】変更
【補正の内容】
【図１】
2014139711.tif 000005
【手続補正５】
【補正対象書類名】図面
【補正対象項目名】図２
【補正方法】削除
【補正の内容】
【手続補正書】
【提出日】平成25年6月10日(2013.6.10)
【手続補正１】
【補正対象書類名】明細書
【補正対象項目名】全文
【補正方法】変更
【補正の内容】
【発明の詳細な説明】
【技術分野】
【０００１】
本発明は、点字文書、点字文献を読取り、点字マス画像と認識し、入力点字データに変換する点字マス画像読取り変換装置に関するものである。
【背景技術】
【０００２】
点字文書、点字文献の紙面は、凸面点字記述している文面で凸面行と凹面行が交互送りしているため、斜光照射による濃淡画像、陰影読取で凸面を認識する方法（特許文献１、特許文献２）では、凸・凹記述文面から凸面点字を検出する信頼性に課題が残されている。
【先行技術文献】
【特許文献】
【０００３】
【特許文献１】特許第３２８１７８６号公報
【特許文献２】特開平８−２２７４５５号公報
【発明の概要】
【発明が解決しようとする課題】
【０００４】
従来技術では、凸・凹記述文面から凸面点字を検出する信頼性に問題点があり、斜光
照射の濃淡認識、陰影読取という点が技術的課題であったが、本発明の２回読取り構成によるマス画像の探索から点字情報を認識する効果が得られた。
【０００５】
全国の視聴覚障害者情報提供者施設に現存する点字文書、貴重な点字文献を書誌学的価値を損なわずに点字文面の点字情報を点字マス画像として正確に読取り、読取った点字マス画像を入力点字データに変換する機能を備えた点字マス画像読取り変換装置を提供することである。
【課題を解決するための手段】
【０００６】
本発明は、点字文書、点字文献の縦３点、横２点を１マスの点字で表示した点字文面の端部を原稿台の位置合わせ印に合わし、下から光を当て、反射光を変換し、マス画像に読取り、１回目は、点字文面全域を読取り全行の行頭、行末、および行中の文末を認識し、２回目の読取りで、各凸面行の行頭から１マスの凸面部６点の有無によって表される点字のマス画像をノイズ除去処理、特徴抽出の画像処理技術で画像補正した読取入力マス画像を点字マス画像データベース内の標準点字マス画像パターンと照合特定し、入力マス画像と認識し、認識した入力マス画像を点字マス画像データベース内の点字データと照合特定し、入力点字データに変換する。
【発明の効果】
【０００７】
本発明により、全国の視聴覚障害者情報提供施設が保有している点字文書、貴重な点字文献の書誌学的価値を損なわずにいつでも点字データ化することができる。
【図面の簡単な説明】
【０００８】
【図１】本発明の点字マス画像読取り変換装置の点字情報関連図である。
【発明を実施するための形態】
【０００９】
以下、本発明における点字マス画像読取り変換装置の実施形態を図１に基づいて説明する。
【００１０】
図１において、１回目の読取りは、縦３点、横２点を１マスの点字で表示した点字文面の端部を原稿台の位置合わせ印に合わし、下から光を当て、反射光を変換し、マス画像に読取り、点字文面全域を読取り全行の行頭、行末、および行中の文末を認識する。２回目の読取りで、各凸面行の行頭から１マスの凸面部６点の有無によって表される点字のマス画像をノイズ除去処理、特徴抽出の画像処理技術で画像補正した読取入力マス画像を点字マス画像データベース内の標準点字マス画像パターンと照合特定し、入力マス画像と認識する。認識した入力マス画像を点字マス画像データベース内の点字データと照合特定し、入力点字データに変換する。
【手続補正２】
【補正対象書類名】特許請求の範囲
【補正対象項目名】全文
【補正方法】変更
【補正の内容】
【特許請求の範囲】
【請求項１】
点字文書、点字文献の縦３点、横２点を１マスの点字で表示した点字文面の端部を原稿台の位置合わせ印に合わし、下から光を当て、反射光を変換し、マス画像に読取り、１回目は、点字文面全域を読取り全行の行頭、行末、および行中の文末を認識し、２回目の読取りで、各凸面行の行頭から１マスの凸面部６点の有無によって表される点字のマス画像をノイズ除去処理、特徴抽出の画像処理技術で画像補正した読取入力マス画像を点字マス画像データベース内の標準点字マス画像パターンと照合特定し、入力マス画像と認識し、認識した入力マス画像を点字マス画像データベース内の点字データと照合特定し、入力点字データに変換することを特徴とする点字マス画像読取り変換装置。
【手続補正４】
【補正対象書類名】図面
【補正対象項目名】図１
【補正方法】変更
【補正の内容】
【図１】
2014139711.tif 000006